(57)【要約】【課題】ループ記録を用いて記録した番組を、所定の条件に基づいてアーカイブファイル化して保存する電子機器及び記録した情報の保持方法、を提供する。【解決手段】実施形態の電子機器は、第１の記録処理手段と、第２の記録処理手段と、通信制御手段と、録画番組情報解析手段と、アーカイブ判定手段と、アーカイブ番組情報管理手段と、アーカイブ制御手段と、を具備する。通信制御手段は、人気ランキング情報、録画予約情報及び話題性の少なくとも１つを含む録画番組情報を取得する。録画番組情報解析手段は、録画番組情報を解析する。アーカイブ判定手段は、録画番組情報に基づいて、第１の記憶装置から第２の記憶装置に移動するアーカイブ対象番組に選定する。アーカイブ番組情報管理手段は、選定された番組の情報を管理する。アーカイブ制御手段は、選定された番組を第１の記憶装置から読み出し、第２の記憶装置に書き込む。【選択図】図１
2015144379.tif 000002
【特許請求の範囲】
【請求項１】
第１の記憶装置に番組をループ記録する第１の記録処理手段と、
第２の記憶装置に任意の番組を記録する第２の記録処理手段と、
人気ランキング情報、録画予約情報及び話題性の少なくとも１つを含む録画番組情報を取得する通信制御手段と、
前記録画番組情報を解析する録画番組情報解析手段と、
前記録画番組情報に基づいて、前記第１の記憶装置に記録されている番組を前記第２の記憶装置に保存するアーカイブ対象番組に選定するアーカイブ判定手段と、
前記アーカイブ判定手段により前記アーカイブ対象番組に選定された番組に関わる情報を管理するアーカイブ番組情報管理手段と、
前記アーカイブ対象番組に選定された番組を前記第１の記憶装置から読み出し、前記第２の記憶装置に書き込むアーカイブ制御手段と、
を具備する電子機器。
【請求項２】
前記録画番組情報は、録画予約情報に基づく番組の放送前に生成する情報及び視聴率や話題性の情報に基づく情報の少なくとも１つを含む請求項１の電子機器。
【請求項３】
前記アーカイブ番組情報管理手段は、前記アーカイブ対象番組に選定された番組毎に前記第１の記憶装置内の録画時間と視聴履歴とを管理し、前記アーカイブ制御手段は、前記アーカイブ対象番組に選定された番組が前記第１の記憶装置内に保持されている間に所定時間以上視聴されている場合、前記第２の記憶装置へのアーカイブ処理から除外する請求項１または２の電子機器。
【請求項４】
前記アーカイブ番組情報管理手段は、前記アーカイブ対象番組に選定された番組が複数の番組と関連するシリーズ番組または連続番組である場合、シリーズＩＤまたは連続情報を管理し、前記アーカイブ制御手段は、前記録画番組情報に関わらず、前記シリーズＩＤまたは連続情報により特定される関連する前記複数の番組全てをアーカイブ処理する請求項１または２の電子機器。
【請求項５】
前記アーカイブ判定手段は、前記第１の記憶装置内において所定時間以上の視聴履歴のある複数の番組と関連するシリーズ番組または連続番組を、前記録画番組情報に関わらずアーカイブ対象番組に選定する請求項１または２の電子機器。
【請求項６】
前記アーカイブ番組情報管理手段は、番組毎のユーザによる保護指定状況を管理し、前記アーカイブ制御手段は、保護指定された番組について、前記第１の記憶装置において視聴済みであった場合でも、前記第２の記憶装置へのアーカイブ処理を行う請求項１または２の電子機器。
【請求項７】
前記アーカイブ制御手段は、前記アーカイブ対象番組に選定された番組の放送時間帯に前記第２の記憶装置への録画が可能であった場合、前記第２の記憶装置へ前記アーカイブ対象番組に選定された番組を録画する請求項１または２の電子機器。
【請求項８】
前記アーカイブ制御手段は、前記アーカイブ対象番組に選定された番組の放送時間帯に前記第２の記憶装置への録画時に、放送時間の変更に連動可能な番組指定録画モードを設定する請求項７の電子機器。
【請求項９】
映像を表示する表示手段と、前記映像に対応する音声または音響出力を再生する再生手段と、をさらに具備する請求項１−８の電子機器。
【請求項１０】
第１の記録領域にループ記録した番組について、人気ランキング情報、録画予約情報及び話題性の少なくとも１つを含む録画番組情報に基づいてアーカイブ選定し、
アーカイブ選定された番組を、ループ記録による上書き消去から除外し、
第１の記録領域とは異なる第２の記録領域する
情報保持方法。
【請求項１１】
録画番組情報は、録画予約情報に基づく番組の放送前に生成する情報及び視聴率や話題性の情報に基づく情報の少なくとも１つを含む請求項１０の情報保持方法。
【発明の詳細な説明】
【技術分野】
【０００１】
この発明は、情報の記録が可能な電子機器及び記録した情報の保持方法に関する。
【背景技術】
【０００２】
記録装置の価格の低下と記録密度の向上とに伴い、任意数の情報供給元が供給する情報（コンテンツ）を、一定期間の間全て記録する「ループ記録」が可能な電子機器が実用化されている。ループ記録を用いて、例えばテレビジョン放送を録画（記録）する場合、例えば６つのチャンネル（放送局）が放送する全ての番組を、記録装置の追加（記録容量の増加）を必要とすることなく、２週間分程度、記録することが可能である。
【先行技術文献】
【非特許文献】
【０００３】
【非特許文献１】http://www.toshiba.co.jp/regza/detail/timeshift/html
【特許文献】
【０００４】
【特許文献１】特開２０１３−２０７７８７号公報
【発明の概要】
【発明が解決しようとする課題】
【０００５】
ループ記録を用いて記録した番組は、記録容量の残りがなくなった時点で、記録日時が古い番組から順に、上書き記録により消去される。
【０００６】
しかしながら、ループ記録の場合、記録日時が古い番組から順に上書き記録により消去されることから、いくつかの番組を関連づけることが好ましい放送形態の番組（シリーズ番組）や、毎日あるいは毎週ほぼ定められた時間に放送される複数回の放送により完結する放送形態の番組（連続番組）、もしくは放送後ある程度時間が経過しても話題に上がることが多いと予測される番組（話題性の高い番組）は、アーカイブファイル化してループ記録のための記憶領域とは異なる記憶領域に保存することが好ましい。
【０００７】
反面、アーカイブファイル化した番組を保存する場合、データサイズ（記録レート）、記録容量及び保存期間に依存するが、保存できる番組の数は、必ずしも利用者（視聴者）の要求を満足できる数である、とは言い切れない。また、保存期間を連続番組の制作単位（例えば３ヶ月）とすることは、実質的に困難である。なお、利用者に、保存する番組を選択してもらうことは、不確実性を伴い、保存忘れ、等を引き起こす。
【０００８】
この発明の目的は、ループ記録を用いて記録した番組を、所定の条件に基づいてアーカイブファイル化して保存する電子機器及び記録した情報の保持方法、を提供することである。
【課題を解決するための手段】
【０００９】
実施形態の電子機器は、第１の記録処理手段と、第２の記録処理手段と、通信制御手段と、録画番組情報解析手段と、アーカイブ判定手段と、アーカイブ番組情報管理手段と、アーカイブ制御手段と、を具備する。第１の記録処理手段は、第１の記憶装置に番組をループ記録する。第２の記録処理手段は、第２の記憶装置に任意の番組を記録する。通信制御手段は、人気ランキング情報、録画予約情報及び話題性の少なくとも１つを含む録画番組情報を取得する。録画番組情報解析手段は、前記録画番組情報を解析する。アーカイブ判定手段は、前記録画番組情報に基づいて、前記第１の記憶装置に記録されている番組を前記第２の記憶装置に保存するアーカイブ対象番組に選定する。アーカイブ番組情報管理手段は、前記アーカイブ判定部により前記アーカイブ対象番組に選定された番組に関わる情報を管理する。アーカイブ制御手段は、前記アーカイブ対象番組に選定された番組を前記第１の記憶装置から読み出し、前記第２の記憶装置に書き込む。
【図面の簡単な説明】
【００１０】
【図１】実施形態に係る記録再生装置（電子機器）及び電子機器と接続するサーバの一例を示す。
【図２】実施形態に係る記録再生装置が保持する録画済番組のアーカイブ化制御の一例をソフトウェア的に示す。
【図３】実施形態に係るアーカイブ化情報管理テーブルが保持する情報の一例を示す。
【図４】実施形態に係る記録再生装置が保持する録画済番組表の表示例の一例を示す。
【図５】実施形態に係る記録再生装置が保持する録画済みリストの表示例の一例を示す。
【発明を実施するための形態】
【００１１】
以下、図面を参照して、本発明の実施の一形態について説明する。
【００１２】
図１は、実施形態に係わる記録再生装置（電子機器）及びネットワークを経由して記録再生装置が接続するアーカイブ化情報供給元（サービスサーバ）の一例を示す。なお、記録再生装置は、表示部（ディスプレイ）を一体に有してもよい。また、表示部は、記録再生装置と非接触で、記録再生装置が無線送信する番組を表示するものであってもよい。なお、以下に説明する要素や構成は、マイクロコンピュータ（処理装置、ＣＰＵ（Central Processing Unit））によりソフトウェアで実現するものであってもよいし、ハードウェアで実現するものであってもよい。また、番組は、ストリームあるいはコンテンツもしくは情報と称する場合もあり、映像に付属する音声あるいは音楽、等からなる。なお、映像は、動画と静止画あるいはテキスト（コード化された符号列で示される文字や記号等で表される情報）、ならびにその任意の組み合わせを含む。また、記録再生装置が記録する番組の取得の方法は、番組供給元（放送局）が、例えば空間波（電波）を用いて送信する放送の受信、例えば番組配信元（配信事業者）が、例えば光ファイバ（ケーブル）やインターネット・プロトコル（Internet Protocol）通信網、等のネットワークを用いて配信する番組の取得、例えばネットワーク上の番組提供元（コンテンツサーバ）からのストリーミング映像（ストリーム）の取得及び再生や、ネットワーク機能を使用する映像転送技術、等、任意である。
【００１３】
図１が示す記録再生装置１は、受信部１０２、復調部１０３、ＭＰＥＧ処理部１０４、出力部１０５、システム制御部（主制御ブロック）１０６、操作入力部１０７、第１の記憶装置Ｈ１及び第１の記録処理部１１０、第２の記憶装置Ｈ２及び第２の記録処理部１１１、ランキング情報解析部１１２、アーカイブ制御部１１３、アーカイブ判定部１１４、アーカイブ番組情報管理部１１５、通信制御部１１６、及び番組表保持部１１７を含む。
【００１４】
受信部１０２は、アンテナ１０１と接続する。出力部１０５は、映像（video）を表示するディスプレイ（表示部）１０９及び音声／音響（audio）を再生するスピーカ１０８と接続する。通信制御部１１６は、ネットワーク３０１を経由して外部サーバ２と接続する。なお、ディスプレイ１０９及びスピーカ１０８あるいは少なくとも一方は、記録再生装置１と非接触で映像または音声／音響を、例えば無線通信により取得するものであってもよい。また、ディスプレイ１０９及びスピーカ１０８は、記録再生装置１と一体であってもよい。
【００１５】
アンテナ１０１から受信部１０２に入力するテレビ放送信号は、受信部１０２においてＩＦ（中間周波数）信号に変換される。復調部１０３は、ＩＦ信号からデジタル信号（ＴＳ：トランスポートストリーム）を抽出し、ＭＰＥＧ処理部１０４に出力する。
【００１６】
ＭＰＥＧ処理部１０４は、ＴＳを、映像成分（video）、音声／音響成分（audio）、およびＥＰＧ表示用のＳＩ（Service Information）に分離し、映像（video）・音声／音響（audio）をデコードする。デコードされた映像（video）データ・音声／音響（audio）データは、出力部１０５からディスプレイ１０９及びスピーカ１０８に出力される。
【００１７】
システム制御部（主制御ブロック）１０６は、各処理部の動作を統括的に制御する。システム制御部１０６はまた、操作入力部１０７が受けつけるリモコン端末装置（リモートコントローラ）やタブレットＰＣ、等からの制御入力（操作指示）に対応する各種の制御コマンドを出力する。制御コマンドとは、例えばテレビ放送（番組）の録画、録画されたコンテンツ（番組）の再生、等を指示するコマンドである。
【００１８】
第１の記憶装置Ｈ１は、第１の記録処理部１１０による記録制御により、例えば６チャンネル分の番組を、例えば２週間分程度、ループ記録する。ループ記録は、記録容量の残りがなくなった時点で、記録（録画）済みの番組を、記録（録画）日時が古い番組から順に、上書き記録により、消去する記録方式である。なお、ループ記録するチャンネルの数と時間帯及び記録レート（データサイズ）は、利用者（視聴者）が任意に設定できる。
【００１９】
第２の記憶装置Ｈ２は、第２の記録処理部１１１による記録制御により、操作入力部１０７を介した録画予約指示、あるいはネットワーク３０１を経由した外部からの録画予約指示に基づいて、指示された任意の番組を記録（録画）する。
【００２０】
ランキング情報解析部１１２は、通信制御部１１６及びネットワーク３０１を経由してアーカイブ化情報供給元（ランキング情報サーバ／サービスサーバ）２のランキング情報生成部２０２から番組ランキング情報を取得して、解析する。すなわち、ランキング情報解析部１１２は、ランキング情報サーバ（サービスサーバ）２のランキング情報生成部２０２において番組ランキング情報にリストされる番組を、後段に説明する所定の判定条件に基づいてアーカイブ化して、ループ記録を適用する録画（記録）において上書き記録により消去される第１の記憶領域Ｈ１から第２の記憶領域Ｈ２に移動して上書き記録により消去されないよう、保護することが好ましい。なお、第２の記憶領域Ｈ２に移動して上書き記録による消去から保護すべき番組としては、例えばいくつかの番組を関連づけることが好ましい放送形態の番組（シリーズ番組）、あるいは毎日または毎週ほぼ定められた時間に放送される複数回の放送により完結する放送形態の番組（連続番組）、もしくは放送後ある程度時間が経過しても話題に上がることが多いと予測される番組（話題性の高い番組）、等である。
【００２１】
アーカイブ判定部１１４は、第１の記憶装置Ｈ１が保持する（第１の記憶装置Ｈ１に記録されている）番組の番組情報とランキング情報解析部１１２が解析したランキング情報とを照合し、ループ記録の上書き記録（録画）により、記録日時が古い番組から順に消去される番組のうち、例えば人気ランキングの高い番組を、アーカイブファイル化して保護する対象とする番組（以下、アーカイブ対象番組、と称する）を決定する。なお、アーカイブ対象番組の決定（判定／選定）方法については後段に詳しく説明する。
【００２２】
アーカイブ番組情報管理部１１５は、アーカイブ判定部１１４においてアーカイブ対象番組と決定（判定／選定）された番組に関わる情報を管理する。アーカイブ番組情報管理部１１５はまた、アーカイブ対象番組に選定された番組毎に、第１の記憶装置Ｈ１内に保持されている間の録画時間と視聴履歴とを管理する。すなわち、アーカイブ番組情報管理部１１５は、第１の記憶装置Ｈ１に録画され、第１の記憶装置Ｈ１内に保持されている番組について、第１の記憶装置Ｈ１内に保持されている間に（その番組を）視聴者が視聴したか、及び視聴した場合にはその視聴時間を管理する。
【００２３】
アーカイブ制御部１１３は、アーカイブ対象番組を第１の記憶装置Ｈ１から第２の記憶装置Ｈ２に、移動（処理）する。なお、第１の記憶装置Ｈ１から第２の記憶装置Ｈ２へのアーカイブ対象番組の移動は、バックグラウンドにおいて、あるいは番組の受信（再生）や録画が実行されていない所定のタイミングで、実行する。なお、アーカイブ対象番組の移動は、実際には、アーカイブ対象番組を、第１の記憶装置Ｈ１から第２の記憶装置Ｈ２に複製（コピー）し、第１の記憶装置Ｈ１が保持する同番組を、ループ記録による上書き記録により消去するものである。
【００２４】
アーカイブ制御部１１３は、アーカイブ番組情報管理部１１５が保持する管理テーブルを参照し、第１の記憶装置Ｈ１における視聴履歴が無い、またはユーザ指定の保護設定があり、かつ第２の記憶装置Ｈ２への移動（アーカイブ）未実施の番組を、古い順に、第１の記憶装置Ｈ１から第２の記憶装置Ｈ２に退避（移動）させる処理を、バックグラウンドで実行する。退避（移動）完了後、アーカイブ制御部１１３は、アーカイブ番組情報管理部１１５に完了通知を行う。なお、アーカイブ番組情報管理部１１５は、アーカイブ制御部１１３の制御に基づいて、当該番組がシリーズ番組や連続番組ではない、あるいは最終回の番組である場合に、管理テーブルから当該番組情報を削除する。それ以外の場合は、シリーズ番組情報や連続番組情報を消去することなく、保持しておく。また、アーカイブ制御部１１３は、アーカイブ番組情報管理部１１５を参照し、アーカイブ対象番組に選定された番組が、第１の記憶装置Ｈ１内に保持されている間に所定時間以上視聴されている番組である場合、第２の記憶装置Ｈ２へのアーカイブ処理から除外する。
【００２５】
アーカイブ判定部１１４は、第１の記憶装置Ｈ１に録画された、もしくは録画予定の番組のタイトル、録画時間もしくは放送時間の他、シリーズ番組の場合にはシリーズＩＤを抽出し、ランキング情報解析部１１２で抽出した情報と照合する。アーカイブ判定部１１４は、照合において一致した番組情報を、アーカイブ番組情報管理部１１５に通知する。なお、第１の記憶装置Ｈ１に録画されたシリーズ番組のうち、視聴者が所定時間以上視聴した視聴履歴がある番組においては、ランキングに関わらず、アーカイブ番組情報管理部１１５に通知しても良い。
【００２６】
アーカイブ番組情報管理部１１５は、アーカイブ判定部１１４から通知された番組情報が新規な情報である場合は、例えば図３に一例を示す管理テーブル（アーカイブ番組情報管理テーブル）に、保存する。なお、通知された番組情報が登録済のシリーズ番組や連続番組である場合は、録画時間情報、等の変更のある項目のみを更新する。また、シリーズ番組や連続番組の判定には、上述のＳＩ情報のシリーズＩＤや、番組情報（ＥＰＧ情報）が含む文字列から取得可能なタイトル名、あるいは第ｎ回（ｎ話）等の話数情報、等を、利用できる。
【００２７】
ランキング情報サーバ２は、通信制御部２０１、ランキング情報生成部２０２及びデータコントローラ２０３を有し、ネットワーク３０１上に位置する各種サーバあるいは任意のサイト（Ｗｅｂページ）と記録再生装置（ユーザ）１とにおいて、ネットワーク３０１を通じた記録再生装置１の通信制御部１１６からの要求があった場合、記録再生装置１による（通信制御部２０１と接続する）ランキング情報生成部２０２へのアクセス及び（ランキング情報生成部２０２から）記録再生装置１への番組ランキング情報の複製（ダウンロード）を許可する。なお、ランキング情報サーバ２は、記録再生装置１とネットワーク３０１との間に位置してもよいし、外部サーバ３，・・・，５相互間の任意の位置に位置してもよい。なお、外部サーバ３，・・・，５は、クラウドサービスあるいはクラウドと呼ばれる場合もある。
【００２８】
ランキング情報サーバ２は、データコントローラ２０３により、番組ランキング情報の生成に用いる情報を取得し、ランキング情報生成部２０２に供給する。データコントローラ２０３は、ネットワーク３０１を通じて、任意の外部サーバ、例えば番組を放送する放送局サーバ３、ＳＮＳ（Social Networking Service）サーバ４、情報業者サーバ５、等から、例えば放送局のお勧め情報、連続番組の第ｎ回の放送であるかを示す情報、他の視聴者のコメント、他の視聴者の録画予約状況、等のさまざまな情報を取得する。なお、放送局サーバ３は、例えば任意の番組の次回予告や、その放送局のオリジナルのＥＰＧを保持する。また、ＳＮＳサーバ４は、番組を視聴した視聴者からの投稿や、例えば番組を放送した放送局の対応する番組のホームページへの書き込みやそれを引用するリンク、等の情報を保持する。また、情報業者サーバ５は、例えば「おすすめ録画」のための番組の録画予約の状況や「おすすめ録画」により録画された番組の視聴結果等を保持する。
【００２９】
ランキング情報生成部２０２は、例えば      
［ａ］次回は、、、、                            ・・・放送局サーバ３    
［ｂ］次回の見どころは、、、、                  ・・・放送局サーバ３    
［ｃ］凹ちゃん凸ちゃんからのお知らせ            ・・・放送局サーバ３    
［ｄ］次回も忘れずに観たい（録画予約しよう）    ・・・ＳＮＳサーバ４    
［ｅ］○▽さんの役柄がおもしろい（２０歳女性）  ・・・ＳＮＳサーバ４    
［ｆ］凹ちゃんステキ！（３０歳女性）            ・・・ＳＮＳサーバ４    
［ｇ］凸ちゃんかわいそう！                      ・・・ＳＮＳサーバ４    
［ｈ］□△さん負けるな（４０歳男性）            ・・・ＳＮＳサーバ４    
［ｉ］録画予約した利用者のＸＸ％が再生した      ・・・情報業者サーバ５    
［ｊ］再生した利用者のＹＹ％が消去せずに保存した・・・情報業者サーバ５    
［ｋ］同時刻の他局の番組よりも録画予約件数が多い・・・情報業者サーバ５    
のような情報が得られた場合に、年齢別評価、性別評価、話題性、ＳＮＳ（サーバ）への他の視聴者からの投稿の数、あるいは次回の録画予約、等を考慮した所定の重み付け規則に基づいて、番組ランキング情報を生成する。
【００３０】
重み付け規則としては、例えば上述［ｉ］、［ｋ］について、１ポイントとし、［ｊ］について、３ポイント、とする。
【００３１】
また、例えば上述の［ａ］−［ｃ］について、１ポイントとし、［ｄ］について、５ポイント、とする、等の運用により、人気ランキングの精度を高めることに有益である。
【００３２】
例えば、［ｄ］次回の録画予約、及び［ｊ］再生の保存、に該当する番組は、視聴者の人気が高い（多くの視聴者が視聴し、次回の放送を（忘れずに）観たい、と考えている）番組である、と予想できる。
【００３３】
なお、ランキング情報サーバ２は、ネットワークで接続された他の記録再生装置の録画予約情報を収集し、分析して、人気番組ランキングを生成して提供するクラウドサービスから番組ランキング情報を取得するものであってもよい。また、ランキング情報サーバ２は、放送前の番組の人気（番組）ランキングを配信する配信サービス等により配信される情報を番組ランキング情報として利用することも可能である。もちろん、番組ランキング情報については、上述のサービスを含むさまざまなサービスにより取得する情報と上述の番組ランキング情報の生成において生成するランキングを併用することも可能である。
【００３４】
図２に、ループ記録により録画した番組を、第１の記憶装置Ｈ１のループ記録の上書き記録にて消去されないよう、第２の記憶装置Ｈ２に移動して保護するアーカイブファイル化制御の一例を、ソフトウェア的に示す。
【００３５】
アーカイブ制御部１１３は、アーカイブ番組情報管理部１１５から録画開始時刻の古い順、もしくは上書き録画で消去される予定順に、番組情報を読み出し、以降の処理を登録番組数分、繰り返し実行する［２０１］。
【００３６】
アーカイブ制御部１１３は、［２０１］においてアーカイブ番組情報管理部１１５から取得した情報をもとに、当該番組のユーザによる保護設定の有無を確認する［２０２］。
【００３７】
保護設定有の場合は、その番組をアーカイブ化（ループ記録の上書き記録による消去から保護する）する、と判定する［２０２−ＹＥＳ］（−［２０７］）。
【００３８】
保護設定無の場合［２０２−ＮＯ］は、その番組に対するユーザの視聴履歴（再生の有無／再生有の場合の視聴時間）を確認する［２０３］。ユーザが未視聴の番組、もしくは視聴時間が録画時間あるいは番組の放送時間の所定の割合を越える時間に満たない場合、その番組をアーカイブ化する、と判定する［２０３−ＹＥＳ］（−［２０７］）。
【００３９】
未視聴の番組もしくは視聴完了していない（視聴時間が番組の放送時間の所定の割合を越える時間に満たない）と判定できた番組については、さらにシリーズ番組あるいは連続番組であるかを確認する［２０４］。
【００４０】
未視聴の番組もしくは視聴完了していない番組がシリーズ番組あるいは連続番組であることを特定できた場合には［２０４−ＹＥＳ］、当該シリーズ番組あるいは連続番組の視聴時間が予めユーザにより設定された時間、もしくはシステム（記録再生装置１）の初期値として予め設定された所定時間を超えているか否かを確認する［２０５］。なお、未視聴の番組もしくは視聴完了していない番組がシリーズ番組あるいは連続番組ではないことを特定できた場合には、管理テーブル（アーカイブ番組情報管理テーブル）から削除（消去）する［２０４−ＮＯ］−［２０６］。
【００４１】
未視聴の番組もしくは視聴完了していない番組、かつシリーズ番組あるいは連続番組であって、視聴時間が予め設定された時間、もしくはシステムの初期値として予め設定された所定時間を超えている場合、その番組をアーカイブ化する、と判定する［２０５−ＹＥＳ］（−［２０７］）。また、視聴時間が予め設定された時間、もしくはシステムの初期値として予め設定された所定時間を超えていない場合、管理テーブル（アーカイブ番組情報管理テーブル）から削除（消去）する［２０５−ＮＯ］（−［２０６］）。
【００４２】
なお、ブロック［２０７］においては、アーカイブ制御部１１３は、第１の記憶装置Ｈ１からの番組の読み出し及び第２の記憶装置Ｈ２へのその番組の書き込みが可能な状況であった場合、当該番組のアーカイブを実行する（第１の記憶装置Ｈ１が保持する対象番組のデータを第２の記憶装置Ｈ２へ移動する（対象番組データを第２の記憶装置Ｈ２に記録し、第１の記憶装置Ｈ１が保持する対象番組データを消去する）。また、ブロック［２０６］においては、アーカイブ制御部１１３は、その番組をアーカイブ不要と判断し、アーカイブ番組情報管理部１１５に、当該番組情報の削除を要求する。これにより、アーカイブ番組情報管理部１１５が、管理テーブル（アーカイブ番組情報管理テーブル）から該当情報を削除する。
【００４３】
図３に、アーカイブ番組情報管理テーブル（管理テーブル）が保持する管理情報の一例を示す。なお、図３が示す表示例は一例であり、管理情報の記録形式や配列、管理情報の個数や識別（区分）は、任意である。
【００４４】
アーカイブ番組情報管理テーブル（管理テーブル）は、アーカイブ対象番組のそれぞれについて、少なくともタイトル（番組名）と録画時間（開始時間及び終了時間）、第１の記憶装置Ｈ１に記録されている間の（ユーザによる）視聴履歴を記憶（保持）する。視聴履歴は、アーカイブ制御部１１３の制御により、例えば第１の記憶装置Ｈ１が含むコンテンツ情報管理部、等から取得できる。コンテンツ情報管理部は、第１の記憶装置Ｈ１が保持する番組のそれぞれについて、（視聴者／ユーザによる）視聴の有無と、視聴有りの場合に、その時間（視聴時間）を保持する。コンテンツ情報管理部はまた、それぞれの番組について、レジューム位置情報（再生途中終了情報）すなわち、一旦再生が指示され、途中で再生が終了された番組について、次の再生が指示された場合に前回再生時に再生を終了した位置からの（番組の）再生を可能とするため、前回の再生が終了した時間の情報、等の情報を保持する。従い、レジューム位置情報（再生途中終了情報）が付加されている番組については、少なくとも途中まで再生されていることを、把握できる。
【００４５】
管理テーブル（アーカイブ番組情報管理テーブル）はまた、シリーズ番組や連続番組について、シリーズＩＤや話数情報（例えば、タイトル欄の［ｎ（数字）］表示）、等を保持（管理）する。なお、話数情報としては、例えば番組名（タイトル）に引き続く、○○編（−◇◇編、−△△編）表示やＥＰＧ情報（番組情報）も、必要に応じて保持する。また、管理テーブルは、視聴履歴やランキングに関係なく保護対象としたい要求に応じられるよう、ユーザ指定の保護設定の有無（保護指定有）も保持（管理）する。
【００４６】
なお、アーカイブ制御部１１３は、アーカイブ対象番組の放送時間帯に第２の記憶装置Ｈ２への録画（記録）が可能な（第２の記憶装置Ｈ２への録画が予定されていない）状態であった場合には、その番組を第２の記憶装置Ｈ２へリアルタイムで録画することも可能である。このとき、（第２の記憶装置Ｈ２へ記録する）録画対象の番組については、番組の放送時間に連動させた（自動録画とは異なる）番組指定録画を行う。これにより、放送時間が延長されることもあるシリーズ番組や連続番組の初回（第１話）や最終回（第ｎ話）、あるいは特別番組（特別編）、等の番組がループ記録（タイムシフト録画）において設定された時間帯に収まらない場合でも、確実に録画（記録）することができる（録り逃しを回避することが可能となる）。
【００４７】
図４に、番組表保持部１１７が保持する（ループ記録した）録画済番組番組表（過去番組表）データを表示した際の表示の一例を示す。なお、図４が示す表示例は一例であり、表示形式や配列、同時に表示する情報の多少は、任意である。また、図４は、ループ記録するチャンネル（ｃｈ）数が６、録画する時間帯が、１０：００−１３：００／１８：００−２４：００である例に相当する。
【００４８】
図４が示す例では、６列目のチャンネル表示４１において、（符号４２を付した）２１：００−２２：００の番組「ＡＡＡ」が、上書き記録によりもうすぐ削除（消去）される番組であって、かつ人気ランキングの上位にランキングされた番組であることを示す識別子（マーク／アイコン）により、表示される。なお、表示例は一例であり、例えば背景色を変えることによる識別や、背景色の変更と識別子の併用による表示、等が可能である。また、例えばリモコン操作により（符号４２を付した）番組名／表示にカーソルをあてた場合に、例えば『もうすぐ消去されますが人気があります』等のコメントをディスプレイ
１０９の所定の領域に表示させることも可能である。
【００４９】
図５に、記録再生装置１の映像出力を表示するディスプレイ１０９が表示する録画済みリストの表示例を示す。
【００５０】
例えばリモコン操作による操作入力（制御指示）により、「録画済みリスト」の表示が指示されると、画面表示５０１に、「録画済みリスト」５１１が表示される。
【００５１】
「録画済みリスト」５１１は、第２の記憶装置Ｈ２が保持する録画（記録）済みの番組を、例えば記録日時の早い順に、表示する。例えば、録画済み番組表示５２１は、視聴者（ユーザ）が録画予約を設定して録画した予約録画番組を示し、録画済み番組表示５２２は、アーカイブファイル化により、（第１の記憶装置Ｈ１による）ループ記録から第２の記憶装置Ｈ２に移動した番組を示す。なお、アーカイブファイル化した番組については、例えば『自動保護』のような、アーカイブファイル化した番組であることを明示する識別子（アイコン／マーク）が付与（表示）されるものとする。
【００５２】
また、録画済み番組表示５２３は、視聴者が録画予約を設定して録画した予約録画番組  のうち、未だ視聴されていない（録画済み）番組であることを示す識別子（アイコン／マーク）が付与（表示）されるものとする。なお、録画済み番組表示５２４は、視聴者が録画予約を設定していない自動録画であって、「おまかせ録画］機能により録画された番組であることを示す。
【００５３】
すなわち、録画済みリストにおいては、視聴者が録画予約して録画した予約録画番組、
ループ記録により録画した番組からアーカイブした番組、おすすめ録画（自動録画）により録画した録画済番組を、識別可能とすることにより、視聴（再生）すべき録画済番組の優先度を、視聴者（ユーザ）に、提示できる。
【００５４】
このように、視聴者は、ループ記録（タイムシフト録画）を用いる録画予約を設定することのみで、ループ記録にて録画した録画済番組をループ記録の上書き（消去）から保護することが可能となる。すなわち、シリーズ番組や連続番組については、ランキング情報サーバ２が保持するランキングの参照により、第１の記憶装置Ｈ１のループ記録における上書き記録にて消去される前に、第２の記憶装置Ｈ２に移動して保護される。従って、シリーズ番組や連続番組を、例えば第ｎ回（ｎ話）のうちの途中（第ｎ−１回（ｎ−１話））から視聴した場合であっても第１話から遡って視聴することや、最終回が終わった時点で全話（全ての回）を一括して別の記憶媒体に保存する、等が容易に実現できる。また、アーカイブする対象の番組を、（視聴者の）未視聴番組や人気度の高い（話題性のある）番組に限定（絞り込み）できるため、より少ない記憶容量を効率よく利用可能となる。すなわち、ループ記録した番組のうち、人気度の高い番組やシリーズ番組が自動的に保護されるため、観たい番組が視聴前に（ループ記録により）上書き消去されることを、高確率で回避することが可能となる。
【００５５】
また、クラウド機能（クラウドサービスとの連携）により、番組放送前の（番組の）人気情報を取得すること、視聴率等の実績に基づき放送後の人気情報を取得することも容易であり、低コストで、より高いユーザニーズに応じたタイムシフトマシンを実現できる。
【００５６】
すなわち、クラウドサービスとループ記録可能な記録再生装置（タイムシフトマシン）との連携により、視聴者自身による録画予約（による予約録画）や録画した番組の保護を必要とすることなく、人気度の高い番組を自動的に選択し、ループ記録の上書き録画から保護することが可能となる。これにより、シリーズ番組や連続番組以外の人気情報の高い番組の録画（記録）と保存（保護）についても、視聴者に煩雑な操作を求めることなく、実現できる（視聴者の操作をより軽減しながら、シリーズ番組や連続番組以外の人気情報の高い番組の録画（記録）と保存（保護）が可能となる）。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
１…記録再生装置、１０２…受信部、１０３…復調部、１０４…ＭＰＥＧ処理部、１０５…出力部、１０６…システム制御部（主制御ブロック）、１０７…操作入力部、１１０…第１の記録処理部、１１１…第２の記録処理部、１１２…ランキング情報解析部、１１３…アーカイブ制御部、１１４…アーカイブ判定部、１１５…アーカイブ番組情報管理部、１１６…通信制御部、１１７…番組表保持部
【図１】
2015144379.tif 000003
【図２】
2015144379.tif 000004
【図３】
2015144379.tif 000005
【図４】
2015144379.tif 000006
【図５】
2015144379.tif 000007